(57)【要約】【課題】機能や処理能力を犠牲にすることなく、必要に応じて携帯性を高めることが可能な情報処理装置を提供する。【解決手段】パーソナルコンピュータ１は、装置本体２と、装置本体２に対して着脱が可能なディスプレイ３とで構成されている。装置本体２の奥側には、ディスプレイ３を開閉させるためのヒンジ機構２３が形成されている。ヒンジ機構２３には、ディスプレイ３との間で画像信号等の入出力を行うためのコネクタ２４が配設されており、ディスプレイ３の下面に備えられたコネクタ３２と嵌合（接続）可能になっている。これら一対のコネクタ２４，３２同士を嵌合させることにより、装置本体２とディスプレイ３との間で信号の入出力が可能になるとともに、ディスプレイ３が装置本体２に保持される。【選択図】図３
2007293400.tif 000002
【特許請求の範囲】
【請求項１】
装置本体と表示装置とを含む携帯型の情報処理装置であって、
前記装置本体は、
情報を入力する入力部と、
前記情報を記憶する第１の記憶部と、
前記情報を処理するとともに、当該装置本体の動作を制御する第１の制御部と、
前記第１の制御部の処理結果を表す画像信号を、前記表示装置に出力する第１の接続端子と、
を備え、
前記表示装置は、前記装置本体に対して着脱可能であって、
当該表示装置を前記装置本体に装着した際に、前記第１の接続端子に接続される第２の接続端子と、
前記第２の接続端子を介して入力される前記画像信号に基づいて、画像の表示を行う表示部と、
情報を記憶する第２の記憶部と、
当該表示装置を前記装置本体から離脱させた際に、前記第２の記憶部に記憶された前記情報を前記表示部に表示させる第２の制御部と、
を備えたことを特徴とする情報処理装置。
【請求項２】
請求項１に記載の情報処理装置であって、
前記表示部は、表示画像保持性を有する電子ペーパであることを特徴とする情報処理装置。
【請求項３】
請求項１又は２に記載の情報処理装置であって、
前記第１の制御部は、前記第１の記憶部に記憶されている前記情報を、前記第１の接続端子から前記表示装置に出力可能であり、前記第２の制御部は、前記第２の接続端子を介して入力される前記情報を、前記第２の記憶部に記憶することを特徴とする情報処理装置。
【請求項４】
請求項１〜３のいずれか１項に記載の情報処理装置であって、前記表示装置は、当該表示装置に対する指示を行うための操作部を有し、当該操作部は、操作内容に応じた操作信号を前記第２の制御部に出力するとともに、前記第２の接続端子を介して前記装置本体に出力し、前記第１の制御部は、前記第１の接続端子を介して入力される前記操作信号に基づいた処理及び制御を行うことを特徴とする情報処理装置。
【発明の詳細な説明】
【技術分野】
【０００１】
本発明は、表示装置を備えた携帯型の情報処理装置に関する。
【背景技術】
【０００２】
外出先で情報の閲覧や入力作業等を行うために、ノート型のパーソナルコンピュータやＰＤＡ（Personal Digital Assistants）のような携帯型の情報処理装置が用いられている。また、情報の閲覧を目的とする電子ブックの開発も進められており（例えば、特許文献１参照）、近年、実用化の段階に至っている。このような情報処理装置には、小型、軽量であるとともに、各種作業をストレスなく行うために、多機能かつ高性能であることが求められている。
【０００３】
【特許文献１】特開２００２−１６９１９０号公報
【発明の開示】
【発明が解決しようとする課題】
【０００４】
ノート型のパーソナルコンピュータは、据え置き型のパーソナルコンピュータとほぼ同等の機能や処理能力を備えるものも多く、外出先であっても十分な速度で各種情報処理を実行することが可能である一方、多機能、高速処理能力を維持する必要から、その小型、軽量化には限界があった。また、ＰＤＡや電子ブック等の携帯端末は、ノート型のパーソナルコンピュータに比べて小型、軽量であり、携帯性に優れているが、機能や処理能力を犠牲にしているため、汎用性や高速性が損なわれていた。
【０００５】
本発明は上記問題に鑑みてなされたものであり、その目的は、機能や処理能力を犠牲にすることなく、必要に応じて携帯性を高めることが可能な情報処理装置を提供することにある。
【課題を解決するための手段】
【０００６】
本発明の情報処理装置は、装置本体と表示装置とを含む携帯型の情報処理装置であって、前記装置本体は、情報を入力する入力部と、前記情報を記憶する第１の記憶部と、前記情報を処理するとともに、当該装置本体の動作を制御する第１の制御部と、前記第１の制御部の処理結果を表す画像信号を、前記表示装置に出力する第１の接続端子とを備え、前記表示装置は、前記装置本体に対して着脱可能であって、当該表示装置を前記装置本体に装着した際に、前記第１の接続端子に接続される第２の接続端子と、前記第２の接続端子を介して入力される前記画像信号に基づいて、画像の表示を行う表示部と、情報を記憶する第２の記憶部と、当該表示装置を前記装置本体から離脱させた際に、前記第２の記憶部に記憶された前記情報を前記表示部に表示させる第２の制御部とを備えたことを特徴とする。
【０００７】
この情報処理装置によれば、装置本体に着脱可能な表示装置が、表示部に加えて第２の制御部と第２の記憶部とを備えているため、装置本体から離脱させた状態で、第２の記憶部に記憶された情報を表示部に表示させることが可能となる。このため、情報の閲覧を行う際には、表示装置を装置本体から離脱させることにより、携帯性をさらに高めた状態で利用することが可能となる。
【０００８】
この情報処理装置において、前記表示部は、表示画像保持性を有する電子ペーパであることが望ましい。
【０００９】
この情報処理装置によれば、表示部に表示画像保持性（メモリ性）を有する電子ペーパを用いているため、表示画像を書き換える頻度を低減することが可能となり、消費電力を抑制することが可能となる。例えば、表示部に液晶表示装置を用いた場合には、１秒間に数十回程度の書き換え動作が必要となるのに対して、電気泳動装置からなる電子ペーパを用いた場合には、数分〜数日に１回程度の書き換え動作を行うだけで表示画像を維持することができる。
【００１０】
この情報処理装置において、前記第１の制御部は、前記第１の記憶部に記憶されている前記情報を、前記第１の接続端子から前記表示装置に出力可能であり、前記第２の制御部は、前記第２の接続端子を介して入力される前記情報を、前記第２の記憶部に記憶することが望ましい。
【００１１】
この情報処理装置によれば、表示装置を装置本体に装着した状態で、第１の記憶部に記憶された情報を第１及び第２の接続端子を介して第２の記憶部にコピーすることが可能となるため、装置本体から離脱させた状態で表示装置に表示させたい情報を、表示装置に容易に取り込むことが可能となる。
【００１２】
この情報処理装置において、前記表示装置は、当該表示装置に対する指示を行うための操作部を有し、当該操作部は、操作内容に応じた操作信号を前記第２の制御部に出力するとともに、前記第２の接続端子を介して前記装置本体に出力し、前記第１の制御部は、前記第１の接続端子を介して入力される前記操作信号に基づいた処理及び制御を行うことが望ましい。
【００１３】
この情報処理装置によれば、表示装置に指示を行うための操作部が、第２の接続端子を介して装置本体にも操作信号を出力するため、操作部を用いた操作によって装置本体に対する指示をも行うことが可能となる。即ち、表示装置を装置本体に装着した状態と、表示装置を装置本体から離脱させた状態の双方で、同様の操作によって指示を行うことが可能となり、利便性が向上する。
【発明を実施するための最良の形態】
【００１４】
以下、本発明の実施形態に係る情報処理装置について、図面を参照して説明する。
図１〜図３は、本実施形態の情報処理装置であるノート型のパーソナルコンピュータの斜視図であり、図１は、ディスプレイを開いた状態、図２は、ディスプレイを閉じた状態、図３は、ディスプレイを分離させた状態を示している。
【００１５】
図１〜３に示すように、パーソナルコンピュータ１は、装置本体２と、装置本体２に対して着脱が可能な表示装置としてのディスプレイ３とで構成されている。装置本体２は、筐体２０で覆われた構成を有しており、その上面には、文字情報の入力や装置本体２に対する各種指示を行うためのキーボード２１が露出している。また、装置本体２には、ＤＶＤ（Digital Versatile Disk）やＣＤ−ＲＯＭ（Compact Disk-Read Only Memory）等のメディアに記憶された各種情報（データ）を読み取り可能な光ディスクドライブ２２が配設されており、光ディスクドライブ２２を筐体２０の側面から引き出すことにより、メディアの交換を行うことができる。なお、キーボード２１及び光ディスクドライブ２２は、本発明の入力部に相当するものである。
【００１６】
また、装置本体２の奥側には、ヒンジ機構２３が形成されており、ディスプレイ３を開閉させることができるようになっている。ディスプレイ３を閉じると、ディスプレイ３の表示部３１と装置本体２のキーボード２１とが対向して携帯や収納に適した状態となり、ディスプレイ３を開くと、キーボード２１及び表示部３１が現れて、各種操作が可能な状態となる。
【００１７】
図３に示すように、ヒンジ機構２３には、ディスプレイ３との間で画像信号等の入出力を行うためのコネクタ２４が配設されており、ディスプレイ３の下面に備えられたコネクタ３２と嵌合（接続）可能になっている。これら一対のコネクタ２４，３２同士を嵌合させることにより、装置本体２とディスプレイ３との間で信号の入出力が可能になるとともに、ディスプレイ３が装置本体２に保持される。なお、コネクタ２４は、本発明の第１の接続端子に相当し、コネクタ３２は、本発明の第２の接続端子に相当するものである。
【００１８】
一方、ディスプレイ３は、筐体３０で覆われた構成を有しており、その前面に形成された矩形の開口部から表示部３１の表示面を視認可能になっている。表示部３１は、入力される画像信号に基づいた画像を表示するものであり、本実施形態では、表示部３１として、電気泳動現象を利用した電子ペーパを用いている。電気泳動現象とは、帯電した微粒子（電気泳動粒子）を液相分散媒中に分散させた分散液に対して電界を印加したときに、微粒子がクーロン力により泳動する現象である。この現象を利用した電子ペーパは、表示画像保持性（メモリ性）を有しており、駆動電圧の印加によって画像を一度表示させると、駆動電圧の印加を解除した後もしばらくの間、画像を保持することができる。
【００１９】
表示部３１の表示面は、光透過性を有するタッチパネル３３によってほぼ全体が覆われている。タッチパネル３３は、本発明の操作部に相当するものであり、ユーザは、タッチパネル３３を操作することによって、ディスプレイ３に対して各種指示を行うことができる。
【００２０】
図４は、パーソナルコンピュータ１の回路構成を表すブロック図である。
図４に示すように、装置本体２は、筐体２０の内部に、ＣＰＵ（Central Processing Unit）４１と、ＲＯＭ（Read Only Memory）４２と、ＲＡＭ（Random Access Memory）４３と、インターフェイス（Ｉ／Ｆ）回路４４とを有しており、これらはバス４５を介して接続されている。
【００２１】
ＲＯＭ４２には、ＢＩＯＳ（Basic Input/Output System）や、パーソナルコンピュータ１を起動する際に実行される起動プログラムが記憶されており、ＲＡＭ４３は、実行すべきプログラムや処理中のデータを一時的に記憶するものである。ＣＰＵ４１は、ＲＯＭ４２やＲＡＭ４３に記憶された各種プログラムに従って動作することにより各種データ処理や各部の制御を行うものであり、ＣＰＵ４１、ＲＯＭ４２、及びＲＡＭ４３は、本発明の第１の制御部を構成する。
【００２２】
インターフェイス回路４４は、各種入出力装置との間でデータの送受信を行うものであり、本実施形態では、前述したキーボード２１、光ディスクドライブ２２、及びコネクタ２４に加えて、ハードディスクドライブ４６が接続されている。ハードディスクドライブ４６は、本発明の第１の記憶部に相当するものであり、ＯＳ（オペレーティングシステム）や、インストールされたアプリケーションプログラム、或いは、各種データ等を記憶する。これらのプログラムやデータ等の書き込みや読出しは、インターフェイス回路４４を介して行われる。また、インターフェイス回路４４には、ユーザの操作内容に応じた文字情報や制御信号がキーボード２１から入力され、メディアから読み出された各種情報（データ）が光ディスクドライブ２２から入力される。また、コネクタ２４との間では、表示部３１に表示すべき内容を表す画像信号やその他信号の入出力が行われる。
【００２３】
さらに、装置本体２は、電源回路４７と、二次電池からなるバッテリ４８とを有している。電源回路４７は、図示しないＡＣアダプタを介して入力される商用電源を適宜変圧し、装置本体２の各部に電源を供給したり、バッテリ４８を充電したりするとともに、コネクタ２４，３２を介してディスプレイ３の電源回路５８に電源を供給する。また、商用電源が入力されていない場合には、電源回路４７は、バッテリ４８の電源を装置本体２の各部、及びディスプレイ３の電源回路５８に供給する。
【００２４】
一方、ディスプレイ３は、ＣＰＵ５１、ＲＯＭ５２、ＲＡＭ５３、インターフェイス（Ｉ／Ｆ）回路５４とを有しており、これらはバス５５を介して接続されている。さらに、ディスプレイ３は、表示駆動回路５６と、接続検知回路５７と、電源回路５８と、二次電池からなるバッテリ５９とを備えている。
【００２５】
ディスプレイ３のＲＯＭ５２は、本発明の第２の記憶部に相当するものであり、フラッシュメモリ等の書き換え可能な不揮発性メモリで構成されている。ＲＯＭ５２は、装置本体２のＲＯＭ４２に比べて大きな記憶容量を有しており、ＢＩＯＳや起動プログラムの他に、アプリケーションプログラムや各種データを記憶する。
【００２６】
ＲＡＭ５３は、実行すべきプログラムや処理中のデータを一時的に記憶するものである。ＣＰＵ５１は、ＲＯＭ５２やＲＡＭ５３に記憶された各種プログラムに従って動作することにより、各種データ処理や、ディスプレイ３内の各部の制御を行うものであり、ＣＰＵ５１、ＲＯＭ５２、及びＲＡＭ５３は、本発明の第２の制御部を構成する。
【００２７】
インターフェイス回路５４は、各種入出力装置等とのデータの送受信を行うものであり、本実施形態では、前述した表示駆動回路５６と、接続検知回路５７と、コネクタ３２と、タッチパネル３３とに接続されている。
【００２８】
表示駆動回路５６は、コネクタ３２又はインターフェイス回路５４から入力される画像信号に基づいて表示部３１を駆動することにより、画像信号に応じた画像を表示部３１に表示させる。接続検知回路５７は、コネクタ３２が装置本体２のコネクタ２４に接続されているか否かを検知して、検知結果（検知信号）をインターフェイス回路５４に出力する。接続検知回路５７としては、プルダウン又はプルアップ抵抗を用いて、接続の有無により電位レベルが変わるようにしてもよいし、接続と非接続とを物理的に検知するようにしてもよい。
【００２９】
タッチパネル３３は、押圧操作された位置に応じた操作信号を、インターフェイス回路５４及びコネクタ３２に出力する。ディスプレイ３のＣＰＵ５１は、インターフェイス回路５４を介して入力されるこの操作信号に基づいて、各種処理や制御を実行する。コネクタ３２に出力された操作信号は、コネクタ２４を介して装置本体２のインターフェイス回路４４に出力され、装置本体２のＣＰＵ４１は、当該操作信号に基づいた処理及び制御を行う。つまり、ユーザは、ディスプレイ３のみならず、装置本体２に対する指示をも、タッチパネル３３を用いて行うことができるようになっている。なお、ディスプレイ３側のインターフェイス回路５４は、コネクタ３２，２４を介して、装置本体２側のインターフェイス回路４４に接続されており、２つのインターフェイス回路４４，５４間で各種データの送受信を行うことが可能になっている。
【００３０】
電源回路５８は、装置本体２からコネクタ３２を介して入力される電源をディスプレイ３の各部に供給するとともに、当該電源によりバッテリ５９を充電する。また、ディスプレイ３が装置本体２に装着されていない場合には、バッテリ５９から前記各部に電源を供給する。
【００３１】
本実施形態のパーソナルコンピュータ１は、上記のような構成を有しており、ディスプレイ３が装置本体２に装着された状態で、パーソナルコンピュータ１に電源が投入されると、装置本体２のＣＰＵ４１は、ＲＯＭ４２に記憶された起動プログラムに従ってブート処理を行い、ハードディスクドライブ４６に記憶されているＯＳをＲＡＭ４３に読み込むとともに、画像信号をディスプレイ３の表示駆動回路５６に出力して表示部３１に操作画面（デスクトップ画面）を表示させる。一方、ディスプレイ３のＣＰＵ５１は、ＲＯＭ５２に記憶された起動プログラムに従ってブート処理を行うとともに、接続検知回路５７からの検知信号に基づき、ディスプレイ３が装置本体２に装着された状態であることを認識する。
【００３２】
その後、ユーザは、キーボード２１やタッチパネル３３を操作して所望のアプリケーションプログラムの起動を指示したり、ファイル（プログラムやデータ等）を管理したりすることができる。アプリケーションプログラムの起動が指示された場合には、ＣＰＵ４１は、ハードディスクドライブ４６に記憶された当該アプリケーションプログラムをＲＡＭ４３に読み込んで、データ処理等、プログラムに従った動作処理を行う。さらに、ＣＰＵ４１は、インターフェイス回路４４、及びコネクタ２４，３２を介して画像信号を表示駆動回路５６に出力し、処理経過や処理結果を表示部３１に表示する。
【００３３】
また、ディスプレイ３のＲＯＭ５２は、装置本体２のＣＰＵ４１から外部記憶装置として認識されるようになっており、ハードディスクドライブ４６に記憶されているデータ等をディスプレイ３のＲＯＭ５２にコピーしたり、アプリケーションプログラム等によって処理されたデータをＲＯＭ５２に記憶させたりすることができる。
【００３４】
ここで、装置本体２からディスプレイ３を離脱させると、ディスプレイ３のＣＰＵ５１は、接続検知回路５７からの検知信号によってこれを検知し、ＲＯＭ５２に記憶されているＯＳをＲＡＭ５３に読み込むとともに、画像信号を表示駆動回路５６に出力して表示部３１に操作画面を表示させる。操作画面には、ＲＯＭ５２に記憶されているデータの一覧が表示されるようになっており、ユーザがタッチパネル３３を操作して、いずれか１つのデータを選択すると、ＣＰＵ５１は、当該データをＲＡＭ５３に読み込むとともに、これを表示部３１に表示させる処理を行う。その後、ユーザがデータの表示を終了させる指示を行うと、ＣＰＵ５１は、前記データが記憶されていたＲＡＭ５３上の領域を開放するとともに、表示部３１に再度操作画面を表示させ、新たなデータを選択可能な状態とする。
【００３５】
この状態で、再度ディスプレイ３を装置本体２に装着すると、ディスプレイ３のＣＰＵ５１は、接続検知回路５７からの検知信号によってこれを検知し、表示駆動回路５６への画像信号の出力を停止する。表示駆動回路５６には、コネクタ３２を介して装置本体２からの画像信号が入力され、これに基づく画像が表示部３１に表示される。
【００３６】
なお、本実施形態において、様々な動作処理を高速で処理するために、装置本体２のＣＰＵ４１には高性能なものを採用するのが望ましい。一方、ディスプレイ３を装置本体２から離脱させて利用する際には、ＲＯＭ５２に記憶された情報（データ）の表示がＣＰＵ５１の主な処理内容となるため、ディスプレイ３のＣＰＵ５１には、装置本体２のＣＰＵ４１ほどの性能は必要なく、ＣＰＵ５１を冷却するための冷却装置（図示せず）等を含めて小型、軽量化が可能なものを採用するのが望ましい。
【００３７】
以上説明したように、本実施形態のパーソナルコンピュータ１によれば、以下の効果を得ることができる。
（１）本実施形態のパーソナルコンピュータ１によれば、装置本体２に着脱可能なディスプレイ３が、表示部３１に加えてＣＰＵ５１やＲＯＭ５２を備えているため、装置本体２から離脱させた状態でも、ＲＯＭ５２に記憶された情報を、ＣＰＵ５１によって表示部３１に表示させることが可能となる。このため、汎用性や高速性を要する処理を行う際や、キーボード２１を用いた入力操作を行う際には、ディスプレイ３を装置本体２に装着した状態で使用し、情報の閲覧を行う際には、ディスプレイ３を装置本体２から離脱させ、携帯性をさらに高めた状態で利用することが可能となる。
【００３８】
（２）本実施形態のパーソナルコンピュータ１によれば、表示部３１に表示画像保持性（メモリ性）を有する電子ペーパを用いているため、表示画像を書き換える頻度を低減することが可能となり、消費電力を抑制することが可能となる。例えば、表示部に液晶表示装置を用いた場合には、１秒間に数十回程度の書き換え動作が必要となるのに対して、電気泳動装置からなる電子ペーパを用いた場合には、数分〜数日に１回程度の書き換え動作を行うだけで表示画像を維持することができる。
【００３９】
（３）本実施形態のパーソナルコンピュータ１によれば、ディスプレイ３を装置本体２に装着した状態では、ディスプレイ３のＲＯＭ５２は、外部記憶装置として認識されるため、ハードディスクドライブ４６等に記憶された情報をディスプレイ３のＲＯＭ５２にコピーすることが可能となる。このため、装置本体２から離脱させた状態でディスプレイ３に表示させたい情報を、ディスプレイ３に容易に取り込むことが可能となる。
【００４０】
（４）本実施形態のパーソナルコンピュータ１によれば、ディスプレイ３を装置本体２に装着した状態では、ディスプレイ３に備えられたタッチパネル３３からの操作信号が、装置本体２にも出力されるため、ディスプレイ３のみならず装置本体２に対する指示をも、タッチパネル３３を用いて行うことが可能となる。即ち、ディスプレイ３を装置本体２に装着した状態と、ディスプレイ３を装置本体２から離脱させた状態の双方で、同様の操作によって指示を行うことが可能となり、利便性が向上する。
【００４１】
（変形例）
なお、本発明の実施形態は、以下のように変更してもよい。
前記実施形態では、ディスプレイ３を装置本体２から離脱させた状態で、ＲＯＭ５２に記憶されたデータを表示可能になっているが、ＣＰＵ５１が実行可能な処理内容としては、データの表示に限られず、データの編集等を行えるようにしてもよい。また、この場合において、ハードディスクドライブ４６の所定の領域（フォルダ）に格納されたデータと、ＲＯＭ５２に記憶されているデータとを同期させるようにすれば、ディスプレイ３が装置本体２に装着されているか否かに拘わらず、常に最新のデータを参照することが可能となる。
【００４２】
前記実施形態では、操作部としてタッチパネル３３を用いているが、操作部はタッチパネル３３に限られず、操作キーを表示部３１の外側に備えるようにしてもよいし、タッチパネル３３と操作キーの双方を備えるようにしてもよい。
【００４３】
前記実施形態では、電気泳動現象を利用した電子ペーパを表示部３１として用いているが、表面が複数色に着色されたビーズを電荷によって回転させる方式等、他の方式の電子ペーパを用いることも可能である。また、電子ペーパ以外にも、液晶表示装置やＥＬ（Electro−Luminescence）表示装置等、他の表示装置を用いることもできる。
【００４４】
前記実施形態におけるディスプレイ３の各構成要素として、薄膜技術等を用いて形成された各種フレキシブルデバイスを電子ペーパとともに用いれば、ディスプレイ３のさらなる小型、軽量化を実現することが可能になるとともに、ディスプレイ３を湾曲させたり折り曲げたりすることも可能となり、携帯性や収納性がさらに向上する。
【００４５】
前記実施形態では、入力部として、キーボード２１及び光ディスクドライブ２２が備えられているが、ネットワークを介して情報が入力されるようにしてもよい。
【図面の簡単な説明】
【００４６】
【図１】パーソナルコンピュータの斜視図であり、ディスプレイを開いた状態を示す図。
【図２】パーソナルコンピュータの斜視図であり、ディスプレイを閉じた状態を示す図。
【図３】パーソナルコンピュータの斜視図であり、ディスプレイを分離させた状態を示す図。
【図４】パーソナルコンピュータの回路構成を表すブロック図。
【符号の説明】
【００４７】
１…パーソナルコンピュータ、２…装置本体、３…ディスプレイ、２０…筐体、２１…キーボード、２２…光ディスクドライブ、２３…ヒンジ機構、２４…コネクタ、３０…筐体、３１…表示部、３２…コネクタ、３３…タッチパネル、４１…ＣＰＵ、４２…ＲＯＭ、４３…ＲＡＭ、４４…インターフェイス回路、４５…バス、４６…ハードディスクドライブ、４７…電源回路、４８…バッテリ、５１…ＣＰＵ、５２…ＲＯＭ、５３…ＲＡＭ、５４…インターフェイス回路、５５…バス、５６…表示駆動回路、５７…接続検知回路、５８…電源回路、５９…バッテリ。
【図１】
2007293400.tif 000003
【図２】
2007293400.tif 000004
【図３】
2007293400.tif 000005
【図４】
2007293400.tif 000006